(57)【要約】【課題】発光を伴うストロボ駆動および発光を伴わないストロボ駆動において、失敗写真のリスクを低減しつつ、且つ、シャッターチャンスを逃すリスクを低減させる撮像装置を提供すること。【解決手段】発光部の照射方向を変更させるために当該発光部を備えた可動部を自動で駆動させることが可能な照明装置を用いた撮影を行う撮影装置であって、撮像装置に撮影動作を指示する指示手段と、発光部の照射方向を変更させる際に発光部の発光処理を伴わない第一の駆動手段と、発光部の照射方向を変更させる際に発光部の発光処理を伴う第二の駆動手段と、を備え、発光部が第一の駆動手段による駆動中に指示手段による撮影指示を受けた場合は第一の駆動手段による駆動中に撮影動作を開始し、発光部が第二の駆動手段による駆動中に指示手段による撮影指示を受けた場合は第二の駆動手段による駆動中に撮影動作を開始しないよう制御することを特徴とする。【選択図】図４
2017049492.tif 000002
【特許請求の範囲】
【請求項１】
発光部の照射方向を変更させるために当該発光部を備えた可動部を自動で駆動させることが可能な照明装置を用いた撮影を行う撮影装置であって、
撮像装置に撮影動作を指示する指示手段と、
前記発光部の照射方向を変更させる際に前記発光部の発光処理を伴わない第一の駆動手段と、
前記発光部の照射方向を変更させる際に前記発光部の発光処理を伴う第二の駆動手段と、
を備え、
前記発光部が第一の駆動手段による駆動中に前記指示手段による撮影指示を受けた場合は前記第一の駆動手段による駆動中に撮影動作を開始し、
前記発光部が第二の駆動手段による駆動中に前記指示手段による撮影指示を受けた場合は前記第二の駆動手段による駆動中に撮影動作を開始しないよう制御する
ことを特徴とする撮像装置。
【請求項２】
前記第二の駆動手段による駆動中に前記指示手段による撮影指示を受けた場合は前記第二の駆動手段による駆動の駆動完了撮影動作開始を繰り越すよう制御することを特徴とする
請求項１に記載の撮像装置。
【請求項３】
前記撮影動作は、測光処理であることを特徴とする請求項１又は請求項２に記載の撮像装置。
【請求項４】
前記撮影動作は、オートフォーカス処理であることを特徴とする請求項１又は請求項２に記載の撮像装置。
【請求項５】
前記撮影動作は、レリーズ処理であることを特徴とする請求項１又は請求項２に記載の撮像装置。
【請求項６】
前記第二の駆動手段による駆動の駆動完了撮影動作開始を繰り越す制御について、測光処理は前記駆動中に開始するよう制御することを特徴とする請求項２に記載の撮像装置。
【請求項７】
前記第二の駆動手段による駆動の駆動完了撮影動作開始を繰り越す制御について、測距処理は前記駆動中に開始するよう制御することを特徴とする請求項２に記載の撮像装置。
【請求項８】
前記撮影指示手段による撮影指示が、前記第二の駆動手段による駆動完了前に解除された場合、撮影指示手段による撮影指示を取り消し、駆動完了後に撮影動作を開始しないよう制御することを特徴とする請求項２に記載の撮像装置。
【請求項９】
前記撮影指示手段による撮影指示が、前記第二の駆動手段による駆動完了前に解除された場合、撮影指示手段による撮影指示を保持し、駆動完了後に撮影動作を開始するよう制御することを特徴とする請求項２に記載の撮像装置。
【発明の詳細な説明】
【技術分野】
【０００１】
本発明は、撮像装置に関し、特に発光撮影制御に関する。
【背景技術】
【０００２】
従来、照明装置の光を天井等に向けて照射して天井等からの拡散反射光を被写体に照射する発光撮影（以下、バウンス発光撮影）が知られている。バウンス発光撮影によれば、照明装置の光を直接的ではなく間接的に被写体に照射することができるため、柔らかい光での描写が可能となる。
【０００３】
また、バウンス発光撮影における最適な照射方向を自動的に決定するストロボ（以下、オートバウンスストロボ）が存在する。オートバウンスストロボは、バウンス発光撮影時における天井へ発光させるときのフラッシュ発光部の角度を、カメラの上方にある物体までの距離情報および被写体距離情報により、自動的に設定するものである。
【０００４】
さらに、特許文献１によれば、該フラッシュ発光部を備えた可動部を自動駆動させている間に撮影動作の開始指示を受け付けても、発光撮影を行わないようにする技術が開示されている。ここでは、発光撮影を行わずに、非発光撮影を行う、あるいは、撮影動作を繰り越すこと技術が開示されている。
【０００５】
さらに、特許文献２によれば、オートバウンスストロボの該可動部の駆動方式として、カメラ上方にある物体までの距離情報および被写体距離情報を算出して該フラッシュ発光部の角度を設定および記憶する方式（以下、測距駆動方式）と、カメラの姿勢変化に応じてオートバウンスストロボが該記憶した角度となるよう駆動部を制御する方式（以下、再生駆動方式）が開示されている。
【先行技術文献】
【特許文献】
【０００６】
【特許文献１】特開２０１５−１６６９号公報
【特許文献２】特開２０１５−４９３２号公報
【発明の概要】
【発明が解決しようとする課題】
【０００７】
ここで、該測距駆動方式の場合、駆動中は発光動作を行うため正確な測光が困難であるため、特許文献１のように非発光撮影を行うと、失敗写真となってしまうリスクがあった。一方、再生駆動方式の場合、駆動中は発光動作を行わないため、測距駆動方式と比較して、正確な測光が可能であるため、特許文献１のように撮影動作の繰り越しを行うと、シャッターチャンスを逃してしまうリスクがあった。
【０００８】
そこで、本発明は、発光を伴うストロボ駆動および発光を伴わないストロボ駆動において、失敗写真のリスクを低減しつつ、且つ、シャッターチャンスを逃すリスクを低減させる撮像装置を提供することを目的とする。
【課題を解決するための手段】
【０００９】
上記の目的を達成するために、本発明に係る撮像装置は、
発光部の照射方向を変更させるために当該発光部を備えた可動部を自動で駆動させることが可能な照明装置を用いた撮影を行う撮影装置であって、
撮像装置に撮影動作を指示する指示手段と、
前記発光部の照射方向を変更させる際に前記発光部の発光処理を伴わない第一の駆動手段と、
前記発光部の照射方向を変更させる際に前記発光部の発光処理を伴う第二の駆動手段と、
を備え、
前記発光部が第一の駆動手段による駆動中に前記指示手段による撮影指示を受けた場合は前記第一の駆動手段による駆動中に撮影動作を開始し、
前記発光部が第二の駆動手段による駆動中に前記指示手段による撮影指示を受けた場合は前記第二の駆動手段による駆動中に撮影動作を開始しないよう制御する
ことを特徴とする。
【発明の効果】
【００１０】
本発明によれば、発光を伴うストロボ駆動および発光を伴わないストロボ駆動において、失敗写真のリスクを低減しつつ、且つ、シャッターチャンスを逃すリスクを低減させることが可能な撮像装置を提供することができる。
【図面の簡単な説明】
【００１１】
【図１】本発明の実施形態に係る撮像装置の構成例を示すブロック図である。
【図２】本発明の実施形態に係る照明装置の構成例を示すブロック図である。
【図３】本発明の実施形態に係る撮像装置に照明装置を装着させた状態を示す図である。
【図４】撮像装置に対してオートバウンス駆動指示が行われた場合の、実施例１における撮像装置の動作を示したフローチャートである。
【図５】撮像装置に対して撮影指示が行われた場合の、実施例１における撮像装置の動作を示したフローチャートである。
【図６】撮像装置に対してオートバウンス駆動指示が行われた場合の、実施例２における撮像装置の動作を示したフローチャートである。
【図７】撮像装置に対して撮影指示が行われた場合の、実施例２における撮像装置の動作を示したフローチャートである。
【発明を実施するための形態】
【００１２】
以下に、本発明の好ましい実施の形態を、添付の図面に基づいて詳細に説明する。
【００１３】
本発明の実施形態にかかわる撮像装置であるカメラ１００の構成について、カメラ１００の構成例を示すブロック図である図１を用いて説明する。
【００１４】
カメラＭＰＵ１０１は、カメラ１００全体の動作を制御するためのマイクロコントローラである。撮像素子１０２は、被写体からの反射光を電気信号に変換するＣＣＤやＣＭＯＳ等の撮像素子である。タイミング信号発生回路１０３は、撮像素子１０２を動作させるために必要なタイミング信号を発生する。
【００１５】
Ａ／Ｄ変換器１０４は、撮像素子１０２から読み出されたアナログ画像データをデジタル画像データに変換する。メモリコントローラ１０５は、メモリの読み書きやバッファメモリ１０６のリフレッシュ動作などを制御する。画像表示部１０７は、バッファメモリ１０６に格納された画像データを表示する。インターフェース１０８は、メモリカードやハードディスクなどの記録媒体１０９との接続のためのインターフェースである。
【００１６】
モーター制御部１１０は、カメラＭＰＵ１０１からの信号に従って不図示のモーターを制御することにより、レンズユニット３００を介して入射した光束の光路を変更するために不図示のミラーをアップ・ダウンさせる。ミラーがアップしている場合、レンズユニット３００を介して入射した光束は撮像素子１０２等に導かれ、ミラーがダウンしている場合、レンズユニット３００を介して入射した光束は測光センサー１１３等に導かれる。シャッター制御部１１１は、カメラＭＰＵ１０１からの信号に従って、撮像素子１０２の前方に配置され撮像素子１０２を遮光状態と露光状態とに切り換える不図示のシャッターを制御する。
【００１７】
測光部１１２は、撮影画面内を複数のエリアに分割した測光センサー１１３の出力に基づいて各エリアの測光結果である測光値をカメラＭＰＵ１０１に出力する。カメラＭＰＵ１０１は各エリアの測光値に基づいて、撮影時の露出制御値であるＡＶ（絞り値）、ＴＶ（シャッタースピード）、ＩＳＯ（撮影感度）を決定するための露出演算を行う。また、カメラＭＰＵ１０１は、内蔵ストロボ１１９あるいは外部ストロボ１２０にて被写体へ向けて予備（プリ）発光したときに測光部１１２から出力される測光値に基づいて、発光撮影時の内蔵ストロボ１１９あるいは外部ストロボ１２０の発光量の演算も行う。
【００１８】
レンズ制御部１１４は、カメラＭＰＵ１０１からの信号に従って不図示のレンズ駆動モーター及び絞り駆動モーターを制御することによりレンズユニット３００の焦点調節と絞り調節を行っている。
【００１９】
焦点検出部１１５は、撮影画面内に複数の測距点を備えた焦点検出センサーの出力に基づいて各測距点のデフォーカス量をカメラＭＰＵ１０１に出力する。カメラＭＰＵ１０１は、焦点検出部１１５から出力されたデフォーカス量に基づいて、レンズ制御部１１４に指示して焦点調節動作を実行させる。
【００２０】
姿勢検出部１１６は、加速度センサーなどからなり、重力方向に対するカメラ１００の姿勢を検知する。操作部１１７は、撮影準備動作や撮影動作の開始指示を受け付けるレリーズボタンを含んでいる。レリーズボタンの第１ストローク（半押し）でＳＷ１がＯＮになると、カメラＭＰＵ１０１は焦点検出動作や測光動作などの撮影準備動作を開始させる。また、レリーズボタンの第２ストローク（全押し）でＳＷ２がＯＮになると、カメラＭＰＵ１０１は撮影動作を開始させる。また、操作部１１７は、バウンス発光撮影における最適な照射方向を自動的に決定する機能（以下、オートバウンスとする）を実行するか否かを切り換えるオートバウンススイッチを含んでいる。
【００２１】
発光制御部１１８は、内蔵ストロボ１１９を使用する際に、カメラＭＰＵ１０１からの信号に従ってプリ発光や本発光などの発光パターンの制御や発光量の制御を行う。また、発光制御部１１８は、カメラＭＰＵ１０１からの信号に応じた制御を内蔵ストロボ１１９と外部ストロボ１２０のどちらに適用するかの切り替え制御も行っている。
【００２２】
次に、照明装置である外部ストロボ１２０の構成について、外部ストロボ１２０の構成例を示すブロック図である図２を用いて説明する。
【００２３】
外部ストロボ１２０は、カメラ１００に装着される本体部１２１と、本体部１２１に対して上下及び左右方向に回動可能に保持される可動部１２２とからなる。なお、可動部１２２を本体部１２１に対して上下及び左右方向に回動可能に保持する機構は公知の機構でよく、例えば、特開昭６３−２０４２３８号公報や特開２０１１−１３７９６０号公報に記載された機構を用いればよいため、詳細な説明は省略する。
【００２４】
本体部１２１は、ストロボＭＰＵ２０１、駆動制御部２０２、姿勢検出部２０３、照射方向演算部２０４、操作部２０５、接続部２０６などを有していて、可動部１２２は、発光部２０７、測光部２０８などを有している。ストロボＭＰＵ２０１は、外部ストロボ１２０全体の動作を制御するためのマイクロコントローラである。
【００２５】
駆動制御部２０２は、ストロボＭＰＵ２０１からの信号に従って不図示のモーターを制御することにより、可動部１２２を本体部１２１に対して上下及び左右方向に駆動させる。また、駆動制御部２０２は、本体部１２１に対する可動部１２２の基準位置からの駆動量を、エンコーダなどを用いて取得し、ストロボＭＰＵ２０１へ出力する。なお、本体部１２１に対する可動部１２２の基準位置は、例えば図３に示すような、撮像装置に装着されたときに可動部１２２の中心軸と撮像装置の撮影光軸とが交差しない位置にすればよい。
【００２６】
姿勢検出部２０３は、加速度センサーなどからなり、本体部１２１の姿勢を検知する。照射方向演算部２０４は、姿勢検出部２０３で取得した情報と後述する測光部２０８で取得した情報とに基づいて、バウンス発光撮影における最適な照射方向を演算する。なお、照射方向の演算処理については、例えば特開２０１５−１６６９号公報に記載された処理を用いればよいため、詳細な説明は省略する。
【００２７】
操作部２０５は、オートバウンスを実行するか否かを切り換えるオートバウンススイッチを含んでいる。なお、カメラ１００の操作部１１７のオートバウンススイッチと外部ストロボ１２０の操作部２０５のオートバウンススイッチとで異なる設定がなされている場合、どちらかの設定を優先するようにすればよい。あるいは、カメラ１００の操作部１１７のオートバウンススイッチによる設定と外部ストロボ１２０の操作部２０５のオートバウンススイッチによる設定とが連動するようにすればよい。すなわち、一方のオートバウンススイッチの設定を変更すると他方のオートバウンススイッチの設定も自動的に変更されるようにすればよい。
【００２８】
接続部２０６は、撮像装置に取り付けるための取り付け部及び撮像装置との通信接点が設けられた接点部などが設けられていて、ストロボＭＰＵ２０１は、接続部２０６の接点部を介して撮像装置との通信を行う。
【００２９】
発光部２０７は、閃光放電管やＬＥＤなどを光源とし、光源の前方に樹脂などで形成された光学系を備え、ストロボＭＰＵ２０１からの発光信号に従って光源を発光させる。測光部２０８は、受光センサーの受光面が発光部２０７の照射方向と同じ方向を向くように設けられていて、受光センサーにより受光した光束に応じた信号をストロボＭＰＵ２０１に出力する。
【００３０】
そして、ストロボＭＰＵ２０１は、発光部２０７を発光させたときに照射対象で反射された反射光束を受光した測光部２０８から出力される信号に基づいて、発光部２０７の光学系の照射面から照射対象までの距離を算出する。なお、受光センサーの向きや位置は上記の例に限定されず、入射面が発光部２０７の照射方向と同じ方向を向くように設けられた光ファイバー等の導光部材を介して照射対象からの反射光束を受光する構成であってもよい。
【００３１】
以下で説明する実施形態では、図３に示すようにカメラ１００と外部ストロボ１２０とを含むカメラシステムにおいて、カメラＭＰＵ１０１からの信号に応じた制御を外部ストロボ１２０に適用する場合について説明する。なお、本発明がこの形態に限定されず適用可能であることは言うまでもない。
【００３２】
［実施例１］
以下、図４および図５を参照して、本発明の第１の実施例による、フローチャートについて説明する。
【００３３】
図４は撮像装置に対してオートバウンス駆動指示が行われた場合の、実施例１における撮像装置の動作を示したフローチャートである。
【００３４】
まず、ステップ４００１で、オートバウンス駆動指示がなされているか否かを判定する。オートバウンス駆動指示がなされていると判定された場合は、ステップ４００２に進む。
【００３５】
ステップ４００２で、ステップ４００１にて指示されたオートバウンス駆動の種類を判定する。指示されたオートバウンス駆動が測距駆動の場合は、ステップ４００４に進む。指示されたオートバウンス駆動が再生駆動の場合は、ステップ４００３に進み、再生駆動を開始して、本フローチャートを終了する。ステップ４００４で、撮影禁止フラグをＯＮにする。この撮影禁止フラグは、後述する図５のフローチャートにて、撮影指示が行われた際に、撮影指示を実行するか否かの判定のために確認される。
【００３６】
ステップ４００５で、測距駆動を開始する。ステップ４００６で、測距駆動完了を待ち、完了したらステップ４００７に進む。ステップ４００７で、撮影禁止フラグをＯＦＦにし、本フローチャートを終了する。
【００３７】
図５は撮像装置に対して撮影指示が行われた場合の、実施例１における撮像装置の動作を示したフローチャートである。
【００３８】
まず、ステップ５００１で、撮影指示がなされているか否かを判定する。撮影指示がなされていると判定された場合は、ステップ５００２に進む。ステップ５００２で、撮影禁止フラグがＯＮであるか否かを判定する。撮影禁止フラグがＯＮであると判定された場合は、撮影指示に対して何もせず、本フローチャートを終了する。撮影禁止フラグがＯＦＦであると判定された場合は、ステップ５００３に進み、撮影動作を開始して、本フローチャートを終了する。
【００３９】
以上のように、本実施例によれば、オートバウンスの駆動種類によって、撮影指示を実行するか否かを切り替えることが可能となるため、失敗写真のリスクを低減しつつ、シャッターチャンスを逃すリスクを低減することが可能となる。
【００４０】
［実施例２］
以下、図６および図７を参照して、本発明の第２の実施例による、フローチャートについて説明する。図６は撮像装置に対してオートバウンス駆動指示が行われた場合の、実施例２における撮像装置の動作を示したフローチャートである。
【００４１】
まず、ステップ６００１で、オートバウンス駆動指示がなされているか否かを判定する。オートバウンス駆動指示がなされていると判定された場合は、ステップ６００２に進む。ステップ６００２で、ステップ６００１にて指示されたオートバウンス駆動の種類を判定する。指示されたオートバウンス駆動が測距駆動の場合は、ステップ６００４に進む。指示されたオートバウンス駆動が再生駆動の場合は、ステップ６００３に進み、再生駆動を開始して、本フローチャートを終了する。
【００４２】
ステップ６００４で、撮影禁止フラグをＯＮにする。この撮影禁止フラグは、後述する図７のフローチャートにて、撮影指示が行われた際に、撮影指示を実行するか否かの判定のために確認される。
【００４３】
ステップ６００５で、測距駆動を開始する。ステップ６００６で、測距駆動完了を待ち、完了したらステップ６００７に進む。ステップ６００７で、撮影禁止フラグをＯＦＦする。ステップ６００８で、撮影指示フラグがＯＮであるか否かを判定する。撮影指示フラグがＯＮであると判定された場合は、ステップ６００９に進み、撮影動作を開始し、本フローチャートを終了する。撮影指示フラグがＯＦＦであると判定された場合は、本フローチャートを終了する。
【００４４】
図７は撮像装置に対して撮影指示が行われた場合の、実施例２における撮像装置の動作を示したフローチャートである。
【００４５】
まず、ステップ７００１で、撮像装置に操作指示がなされているか否かを判定する。操作指示がなされていると判定された場合は、ステップ７００２に進む。ステップ７００２で、ステップ７００１にてなされた操作指示が撮影指示関連であるか否かを判定する。ここで、撮影指示関連は撮影指示もしくは撮影指示のキャンセルのいずれかの操作を指すものとする。撮影指示関連ではないと判定された場合は、ステップ７００３に進み、指示された所定の処理を行い、本フローチャートを終了する。撮影指示関連であると判定された場合は、ステップ７００４に進む。
【００４６】
ステップ７００４で、なされた操作が撮影指示であるか、それとも撮影指示キャンセルであるかを判定する。撮影指示であると判定された場合は、ステップ７００５に進む。撮影指示キャンセルであると判定された場合は、ステップ７００８に進み、撮影指示フラグをＯＦＦし、本フローチャートを終了する。
【００４７】
ステップ７００５で、撮影禁止フラグがＯＮであるか否かを判定する。撮影禁止フラグがＯＮであると判定された場合は、撮影指示フラグをＯＮし、本フローチャートを終了する。この撮影指示フラグは、測距駆動中に撮影指示があったことを保持するためのものであり、前述した図６のフローチャートにて、測距駆動が完了した際に、撮影指示が行われているか否かの判定のために確認される。
【００４８】
撮影禁止フラグがＯＦＦであると判定された場合は、ステップ７００７に進み、撮影動作を開始して、本フローチャートを終了する。
【００４９】
以上のように、本実施例によれば、オートバウンスの種類によって、駆動中に撮影指示を実行するか、駆動完了後まで撮影指示を繰り越すかを切り替えることが可能となるため、駆動完了後に速やかに撮影動作を実施することが可能となる。
【００５０】
なお、上記の２つの実施形態では、測距駆動中の撮影動作を実施しない、もしくは繰り越す例について説明したが、撮影動作のうち、例えば、オートフォーカス処理あるいは測光処理については測距駆動中に開始してもよい。この場合、測距駆動終了後のオートフォーカス処理あるいは測光処理に掛かる時間の短縮が可能となるため、より速やかにレリーズ動作を行うことが可能となる。
【００５１】
また、上記の２つの実施形態では、外部ストロボ１２０でオートバウンス動作を行う場合に本発明を適用する例について説明したが、内蔵ストロボ１１９でオートバウンス動作を行う場合に発明を適用してもよい。
【００５２】
［他の実施の形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００５３】
以上、本発明の好ましい実施形態について説明したが、本発明はこれらの実施形態に限定されず、その要旨の範囲内で種々の変形及び変更が可能である。
【符号の説明】
【００５４】
１００ カメラ、１０１ カメラＭＰＵ、１０２ 撮像素子、１１６ 姿勢検出部、
１１７ 操作部、１１８ 発光制御部、１１９ 内蔵ストロボ、１２０ 外部ストロボ、
１２１ 本体部、１２２ 可動部、２０１ ストロボＭＰＵ、２０２ 駆動制御部、
２０３ 姿勢検出部、２０４ 照射方向演算部、２０５ 操作部、２０６ 接続部、
２０７ 発光部、２０８ 測光部
【図１】
2017049492.tif 000003
【図２】
2017049492.tif 000004
【図３】
2017049492.tif 000005
【図４】
2017049492.tif 000006
【図５】
2017049492.tif 000007
【図６】
2017049492.tif 000008
【図７】
2017049492.tif 000009